(57)【要約】      （修正有）【課題】従来、発電機に、関係する動力源は、風力エネルギー、水力エネルギー、火力エネルギー太陽光エネルギー、原子力エネルギー、等々、多くの発電装置が、ありますが、本発明（エネルギーを発生させる装置）に、関してエネルギーを、使用して、エネルギーを、生産することに、発想を抱いて・・・無から甚大な、エネルギーを、得て、世界中の、人々に提供されることを目的として、考案されたものである。【解決手段】回転機械５０の直径を、大きくして、回転機械の回転距離を長くして、大きく振りまわすことによって、空気吸引機２の、動力源を、回転機械が、上回ること必至である。【選択図】図１
2015045328.tif 000002
【特許請求の範囲】
【請求項１】
回転機械は、固定の中心軸にベアリングを介して円形側壁板２枚を設けて、側壁板の内面には、翼板溝枠を設けて、翼板溝枠と、翼板溝枠の間には、翼板セットを設置してなり、翼板セットには、翼板を設けて、さらに、翼板に設置する小翼板と、翼板丸棒を設け、翼板の内部には小翼板を中心軸の外周面に衝当させるための発条を設けて成るもので中心軸の外周面に軽く接しながら発条を設置して、翼板の出没運動には、固定の翼板誘導板を、中心軸の外周面より定距離を設けて設置し、側壁板の外周面には、止め板を設け、止め板には翼板丸棒が出没する出没穴を設け、側壁板の外周面にネジ穴を設け、止めネジで固定する。次に中心軸の外周面に大気圧流出口を６か所と、低圧側流入口を６か所を設置し、大気圧流出口に於いては、大気の圧力で回転機械の翼板を圧っすることになり、低圧側に於いては、空気吸引機の回転により、回転機械の、翼板を吸引して、エネルギーを取り出し得るようにして、発電するものである。
【請求項２】
空気吸引装置は、固定板に、電動モーターを設け、駆動するプーリーにはＶベルトを設け、回転軸にベアリングを設けて固定台に設置する。一方、回転軸には、空気吸引機を設け、固定枠の内部に設ける。さらに、空気吸引機には、空気吸引口を設置し、羽根板取り付け円形板を設け、羽根板を取り付けて大気室に設置する。
【請求項３】
本案は、回転機械の直径を、大きくして、吸引する翼板の位置が、中心軸の中心から遠くなり、回転機械の回転の距離（ｍ・１秒）５０ｍ〜８０ｍ位長距離での大きく、振りまわすことで巨大な、エネルギーを、生産するものである。
【発明の詳細な説明】
【技術分野】
【０００１】本案は、空気の流れを利用して、発電するもので、その空気の流れる量は、大量であり、多大なエネルギー源のみなもとである。
【背景技術】
【０００２】従来風力を利用し発電装置として、風車装置が一般に知られている。例えば、本出願人が先に特許出願した発明がある（特許文献１参照）。
【先行技術文献】
【特許文献】
【０００３】
【特許文献１】特開２０００−２９７７３８号公報
【発明の概要】
【発明が解決しようとする課題】
【０００４】本案は、風の無い日、曇りの日はもちろん、空気があれば、どのような場所でも発電できるものである。
【課題を解決するための手段】
【０００５】本案は、空気の流れを、空気吸引装置を、使用し、吸引力を利用して、回転する機械を、回転させて、エネルギーを取り出し、この時に空気吸引装置を高速回転させるため、大量の空気の流れができ、本案によって、空気の流れをつくっている空気吸引装置の動力源を、回転機械が、大きく上回ることである。
【発明の効果】
【０００６】本案は、環境破壊を防ぎ、地球温暖化を、防止して１００パーセント安全な文化を、提供するものである。
【図面の簡単な説明】
【０００７】
【図１】本案エネルギーを、発生させる装置の、従断説明図であり、回転機械と、翼板装置の図２におけるＡ−Ａ線断面図である。
【図２】固定の中心軸の回転機械の平面図である。
【図３】空気吸引装置の空気吸引口側から見た説明図である。
【図４】翼板セットの説明図である。
【図５】翼板セットの、固定ネジ止め（２）の説明図である。
【図６】翼板溝枠の取り付け説明図である。
【図７】翼板丸棒が、出没運動する出没穴の取り付け説明図である。
【図８】図１の中心軸に取り付けた流動枠・流動管の取り付け説明図である。
【図９】図４の（３）図の拡大図である。
【発明を実施するための形態】
【０００８】本発明エネルギーを発生させる装置を図に基づいて本発明の実施の形態を、図１について説明すると、固定の中心軸（５１）を、使用した縦断説明図であり、中心軸（５１）を、固定して回転機械（５０）を設置した所の図面であり、翼板（５）の出没を誘導する翼板誘導板（４９）を設けて、翼板（５）の出没運動をスムーズにすることを目的として成るもので固定板（２５）で固定する。
本案に於いては、空気吸引装置（４１）を、高速回転させて、回転機械（５０）の直径の長さを、大きくして、空気を吸引して、翼板（５）の吸引力を高め回転機械（５０）は、回転速度、回転力が強力になるもので、本案によってエネルギーを使用してエネルギーを生産することを目的とした新しいエネルギーである。
図２の説明、本案エネルギーを、発生させる装置の回転機械（５０）の平面図であり、中心軸（５１）を固定して、回転機械（５０）を回転させて、中心軸（５１）の平面に大気穴（３１）を６カ所設け、中心軸（５１）の外周面（５２）に貫通させ、大気圧流出口（３０）を設け、一方反対側の平面には、低圧穴（３４）を６カ所設け、中心軸（５１）の外周面（５２）の低圧側流入口（３３）に貫通させ、図８の（２）図の低圧側流出口（３２）へ流れ出る。また、大気圧流出口（３０）によって翼板（５）を回転機械（５０）の回転方向（矢印）へ圧して、この時に大気室（１）の、空気圧が働いて、空気吸引機（２）が、回転してる時は、回転機械（５０）の、翼板（５）を圧っすることになり回転機械（５０）は回転される。
図３の説明、本案の、空気吸引機（２）を、空気吸引口（４２）側から見た図であるが、回転軸（３）に羽根板取り付け円形板（９）の、２枚の内面に羽根板（８）を、定距離を設けて、取り付け、空気吸引口（４２）を設け、空気吸引装置（４１）の回転によって、遠心力が働き、空気を、外方向（←）へ吹き飛ばして大気室（１）に放出される。
図４の説明、図２の回転機械（５０）に取り付ける翼板セットの説明図であり、翼板（５）の出没運動に使用する翼板誘導板（４９）を取り付けて固定板（２５）で固定させて回転機械（５０）を回転させる。（１）図は、翼板セット外枠（５３）であり、固定ネジ止め２（４８）を取り付け、ネジ穴（１６）を設ける。（２）図は、翼板セット外枠（５３）の平面図であり、中央に溝（１２）を設け空気出入り口（１４）を設けて回転機械（５０）の翼板（５）が、大気圧流出口（３０）を通過する時は大気の空気が、溝（１２）を通り空気流出口（１４）へ入り込み低圧側流入口（３３）を、通過する時は、低圧穴（３４）方向へ吸引される。（３）図は、翼板（５）・小翼板（７）・翼板丸棒（６）・発条（１０）の組立図であり、翼板（５）の側面を真二つにして小翼板（７）が入り込む・切割溝（１３）を設け、発条（１０）が、入り込む穴（４３）を設け、小翼板（７）を圧するように設置して翼板丸棒（６）を取り付けて、発条カバー（５４）を取り付ける。
（４）図は、翼板（５）・翼板丸棒（６）の平面図であり切割溝（１３）を設けて、翼板セット外枠（５３）に組み込まれて、さらに、小翼板（７）を取り付け、翼板（５）の重量を軽くするための穴（４３）を設けて、発条カバー（５４）を取り付けて（固定ネジ止め２）（４８）で固定させ、翼板セット外枠（５３）の内周面に、翼板（５）が出没する時に出没自在になるように設置し、（固定ネジ止め２）（４８）で、調節する。（５）図は翼板セットの、側面の完成図であり、翼板（５）を薄くして軽量にして翼板装置に取り付ける。
（６）図は、小翼板（７）の図であり、翼板（５）に組み込まれるものであり、切割溝（１３）を設け、固定ネジ止め１（２１）で翼板（５）に取り付ける穴（４３）を設けて翼板セット外枠（５３）を、取り付ける。
（７）図は、翼板セット外枠（５３）の平面図であり、翼板（５）の発条（１０）の通り道となる発条溝（１１）を設けて固定ネジ止め２（４８）で組み立てる。
（８）図の説明、８図は、（７）図の取り付け説明図である。一方、（２）図・（７）図は同一の、翼板セット外枠（５３）になるもので、（２）図は、外面、（７）図は、内面に設置する。図５の説明、図４の翼板セット外枠（５３）の取り付け説明図である。
図６の説明、翼板溝枠（３５）の取り付け説明図であり、側壁板（４０）の内面に取り付け、ネジ穴（１６）を設ける。
図７の説明、回転機械（５０）の側壁板（４０）の外周面に、翼板（５）に取り付けた、翼板丸棒（６）が出没する、出没穴（１８）の取り付け説明図である。
図８、の説明、本案の図２、の中心軸（５１）の説明図であり、（１）図は、平面図、であり、中心軸（５１）の平面（両面）に取り付ける流動枠（２０）に、フランジ（５９）を取り付けて止めネジ（１５）で、固定させる。（２）図は、（１）図の、Ｂ−Ｂ線断面図である。図９の説明、翼板（５）の組み立て図である。
本案は回転機械（５０）の直径を大きくすることで、翼板（５）の位置が中心軸（５１）の中心から速くなり大気圧流出口（３０）大気穴（３１）と、低圧側流入口（３３）低圧穴（３４）も大きくでき、空気吸引の量も増えて、回転距離も長くなり（秒、想定）大きな力を、得ることが、できる。
【符号の説明】
【０００９】１  大気室・大気圧
２  空気吸引機
３  回転軸
４  電動モーター
５  翼板
６  翼板丸棒
７  小翼板
８  羽根板
９  羽根板取り付け円形板
１０  発条
１１  発条溝
１２  溝
１３  切割溝
１４  空気出入り口
１５  止めネジ
１６  ネジ穴
１７  止め板
１８  出没穴
１９  浮遊物混入防止網
２０  流動枠
２１  固定ネジ止め  １
２２  ベアリング
２３  プーリー
２４  Ｖベルト
２５  固定板
２６  固定枠
２７  固定台
２８  空気流入口
２９  流動管
３０  大気圧流出口
３１  大気穴
３２  低圧側流出口・低圧側
３３  低圧側流入口
３４  低圧穴
３５  翼板溝枠
３６  発電機
３７  翼板セット
３８  翼板溝枠の内周面
３９  翼板溝
４０  側壁板
４１  空気吸引装置
４２  空気吸引口
４３  穴
４４  ベアリングカバー
４５  固定空気流動管
４６  回転軸ズレ止めリング
４７  矢印＝回転方法・進む方向・空気の流れ方向
４８  固定ネジ止め  ２
４９  翼板誘導板
５０  回転機械
５１  中心軸
５２  中心軸の外周面
５３  翼板セット外枠
５４  発条カバー
５５  固定金具
５６  固定柱
５７  空気流出口
５８  繋ぎ管
５９  フランジ
【図１】
2015045328.tif 000003
【図２】
2015045328.tif 000004
【図３】
2015045328.tif 000005
【図４】
2015045328.tif 000006
【図５】
2015045328.tif 000007
【図６】
2015045328.tif 000008
【図７】
2015045328.tif 000009
【図８】
2015045328.tif 000010
【図９】
2015045328.tif 000011